(57)【要約】【課題】機器の小型化をはかるとともに、細塵室の細かいゴミによる塵埃分離手段の目詰まり低下を防止し吸込み性能を向上させた集塵機器を提供することを目的とする。【解決手段】比較的大きいゴミと空気とを分離する第１の塵埃分離手段３３と、第１の塵埃分離手段の下流で細かいゴミと空気とを分離する第２の塵埃分離手段３４と、第２の塵埃分離手段により分離された細かいゴミを溜める細塵室３６とを有し、細塵室３６の近傍には、第１、第２の塵埃分離手段３３、３４間の流路の一部を塞ぐ、舞い上げ気流防止手段４０を設けたものである。これによって、舞い上げ気流防止手段４０は空気の流れを細塵室３６と反対方向に押し上げるため、細塵室３６との距離を大きく離すよう構成する必要がなく、機器を小型化できる。また、空気の流れが上方に変向されるため、細塵室３６へ流れ込みにくく、圧損を低減させ、吸込み性能を向上させることができる。【選択図】図２
2008104559.tif 000002
【特許請求の範囲】
【請求項１】
吸引用の送風機を内包する機器本体と、前記送風機への吸引経路に配設され比較的大きいゴミと空気とを分離する第１の塵埃分離手段と、前記第１の塵埃分離手段の下流により細かいゴミと空気とを分離する第２の塵埃分離手段と、前記第２の塵埃分離手段の下方に設けられ前記第２の塵埃分離手段により分離されたより細かいゴミを溜める細塵室とを有し、前記細塵室の近傍には、前記第１の塵埃分離手段と前記第２の塵埃分離手段との間の流路の一部を塞ぐ、舞い上げ気流防止手段を設けた集塵機器。
【請求項２】
機器本体内に第１の塵埃分離手段により分離された比較的大きいゴミを溜める集塵室を有し、前記第１の塵埃分離手段は、前記集塵室に配設されたフィルタである請求項１に記載の集塵機器。
【請求項３】
舞い上げ気流防止手段は、第２の塵埃分離手段の下端よりも高い位置まで設けられた請求項１または２に記載の集塵機器。
【請求項４】
舞い上げ気流防止手段は、第２の塵埃分離手段の下端と同じ高さまたは第２の塵埃分離手段の下端よりも低い位置まで設けられた請求項１または２に記載の集塵機器。
【請求項５】
舞い上げ気流防止手段は、第１の塵埃分離手段と第２の塵埃分離手段との間の流路の方向に対して、第２の塵埃分離手段との間に隙間がない位置に設けられた請求項１〜４のいずれか１項に記載の集塵機器。
【請求項６】
舞い上げ気流防止手段は、第１の塵埃分離手段の上端と同じ高さまたは第１の塵埃分離手段の上端よりも高い位置まで設けられた請求項１〜５のいずれか１項に記載の集塵機器。
【請求項７】
舞い上げ気流防止手段は、第１の塵埃分離手段の上端よりも低い位置まで設けられた請求項１〜５のいずれか１項に記載の集塵機器。
【請求項８】
舞い上げ気流防止手段は、切り欠き部を有する請求項１〜７のいずれか１項に記載の集塵機器。
【請求項９】
切り欠き部は、舞い上げ気流防止手段付近の空気圧力が低くなる部分に設けられた請求項８に記載の集塵機器。
【請求項１０】
切り欠き部は、舞い上げ気流防止手段付近の空気圧力が高くなる部分に設けられた請求項８に記載の集塵機器。
【発明の詳細な説明】
【技術分野】
【０００１】
本発明は、ゴミと空気を分離する塵埃分離手段を有する電気掃除機などの集塵機器に関するものである。
【背景技術】
【０００２】
従来、この種の集塵機器として、図８に示すような電気掃除機が知られている（例えば、特許文献１参照）。
【０００３】
これは、機器本体１に、ゴミを含む空気が流れ込む吸引口２と、比較的大きいゴミと空気とを分離するネット状のフィルタ３と、フィルタ３の下流に、より細かいゴミと空気とを分離するプリーツ状のフィルタ４と、フィルタ４の下方に、フィルタ４により分離された細かいゴミを溜める細塵室５と、フィルタ３の下方に、フィルタ３とフィルタ４との間の流路と比較して開口断面積が狭くなるように、フィルタ４との間に比較的狭い隙間ａを空けた位置に舞い上げ気流防止壁６が、フィルタ３の保持手段を兼ねる形で構成されている。
【０００４】
上記構成において、吸引口２から吸引されたゴミを含む空気は、まず、フィルタ３によって比較的大きいゴミが取り除かれて通過し、さらに細かいゴミはフィルタ４によって取り除かれ、空気のみが通過する。この際、フィルタ４に付着、堆積した細かいゴミは、除塵機構（図示せず）を動作させることによって、細塵室５に落ちていく。ここで、舞い上げ気流防止壁６を、フィルタ４と比較的狭い隙間ａを空けて配設することで、フィルタ３を通過した空気が、細塵室５の方向に行きにくくなることにより、細塵室５に溜まった細かいゴミが風の流れによって舞い上げられ、フィルタ４に再び付着することを防ぐ構成となっている。
【０００５】
また、図９に示すような電気掃除機も知られている（例えば、特許文献２参照）。
【０００６】
これは、機器本体より取り外し自在なダストボックス１１内に、ゴミと空気の慣性力の違いを利用して比較的大きいゴミと空気とを分離する円錐形状の第１の塵埃分離手段１２と、第１の塵埃分離手段１２により分離された比較的大きいゴミを溜めておく集塵室１３と、第１の塵埃分離手段１２および集塵室１３の下流に、より細かいゴミと空気とを分離するプリーツフィルタなどで構成される第２の塵埃分離手段１４と、第２の塵埃分離手段１４の下方に、第２の塵埃分離手段１４により分離された細かいゴミを溜める細塵室１５とを有している。そして、集塵室１３の壁面１６と第２の塵埃分離手段１４との間に比較的狭い隙間ｂを空けて細塵室１５と連通している。
【０００７】
上記構成において、ゴミを含む空気は、円錐形状の第１の塵埃分離手段１２によって、比較的大きいゴミを含む空気（矢印Ｃ）とより細かいゴミを含む空気（矢印Ｄ）とに分離される。これは、比較的大きいゴミは自身の持つ慣性力により直進し、より細かいゴミは円錐の周方向に回転しながら第１の塵埃分離手段１２の外側に吐き出されるものである。そして、比較的大きいゴミを含む空気Ｃは集塵室１３に導かれ、ゴミはそのまま集塵室１３に、空気は集塵室１３の上部に設けられた開口部１７より出て、細かいゴミを含む空気Ｄとともに第２の塵埃分離手段１４へ導かれる。
【０００８】
この第２の塵埃分離手段１４によって細かいゴミを取り除き、空気のみを下流へと通過させる。この際、第２の塵埃分離手段１４に付着、堆積した細かいゴミは、除塵機構（図示せず）を動作させることによって、細塵室１５に落ちていく。ここで、集塵室１３の壁面１６を、第２の塵埃分離手段１４と比較的狭い隙間ｂをあけて配設することで、第１の塵埃分離手段１２を通過した空気および集塵室１３の上部に設けられた開口部１７より出た空気が、細塵室１５の方向に行きにくくなることにより、細塵室１５に溜まった細かいゴミが風の流れによって舞い上げられ、第２の塵埃分離手段１４に再び付着することを防ぐ構成となっている。
【特許文献１】実公昭５５−２５０２２号公報
【特許文献２】特許第３４８８８７７号公報
【発明の開示】
【発明が解決しようとする課題】
【０００９】
しかしながら、前記従来の構成では、図８の矢印Ｅおよび図９の矢印Ｆで示すように空気の流れは広がっていくため、細塵室５および１５に溜まる細かいゴミが舞い上がらないようにするためには、細塵室５および１５を空気の流れＥおよびＦから遠ざける必要があるため、機器が大型化するという課題を有していた。
【００１０】
また、特許文献２参照のものでは、さらに、集塵室１３の上部以外に開口部１７を設けると、壁面１６の上を通らない流れが生じ、細塵室１５へ空気が流れ込んで細塵室１５に溜まった細かいゴミが舞い上がってしまうため、集塵室１３の上部のみにしか開口部１７を設けることができず、圧損が高くなり、機器としての吸込み性能を低下させてしまうという課題を有していた。
【００１１】
本発明は、前記従来の課題を解決するもので、機器の小型化をはかるとともに、細塵室の細かいゴミによる塵埃分離手段の目詰まり低下を防止し吸込み性能を向上させた集塵機器を提供することを目的とする。
【課題を解決するための手段】
【００１２】
前記従来の課題を解決するために、本発明の集塵機器は、吸引用の送風機を内包する機器本体と、前記送風機への吸引経路に配設され比較的大きいゴミと空気とを分離する第１の塵埃分離手段と、前記第１の塵埃分離手段の下流により細かいゴミと空気とを分離する第２の塵埃分離手段と、前記第２の塵埃分離手段の下方に設けられ前記第２の塵埃分離手段により分離されたより細かいゴミを溜める細塵室とを有し、前記細塵室の近傍には、前記第１の塵埃分離手段と前記第２の塵埃分離手段との間の流路の一部を塞ぐ、舞い上げ気流防止手段を設けたものである。
【００１３】
これによって、舞い上げ気流防止手段は空気の流れを一旦上方、すなわち細塵室と反対方向に押し上げ、空気の流れが細塵室から離れるため、細塵室と空気の流れとの距離を大きく離すよう構成する必要がなく、機器を小型化できる。また、集塵室の上部以外に開口部を設けても、舞い上げ気流防止手段によって、空気の流れが上方に変向されるため、細塵室へ空気が流れ込みにくい構成となっており、圧損を低減させ、機器本体の吸込み性能を向上させることができる。
【発明の効果】
【００１４】
本発明の集塵機器は、機器の小型化をはかるとともに、細塵室の細かいゴミによる塵埃分離手段の目詰まり低下を防止し吸込み性能を向上させることができる。
【発明を実施するための最良の形態】
【００１５】
第１の発明は、吸引用の送風機を内包する機器本体と、前記送風機への吸引経路に配設され比較的大きいゴミと空気とを分離する第１の塵埃分離手段と、前記第１の塵埃分離手段の下流により細かいゴミと空気とを分離する第２の塵埃分離手段と、前記第２の塵埃分離手段の下方に設けられ前記第２の塵埃分離手段により分離されたより細かいゴミを溜める細塵室とを有し、前記細塵室の近傍には、前記第１の塵埃分離手段と前記第２の塵埃分離手段との間の流路の一部を塞ぐ、舞い上げ気流防止手段を設けた集塵機器としたものである。これによって、舞い上げ気流防止手段は空気の流れを一旦上方、すなわち細塵室と反対方向に押し上げ、空気の流れが細塵室から離れるため、細塵室と空気の流れとの距離を大きく離すよう構成する必要がなく、機器を小型化できる。また、集塵室の上部以外に開口部を設けても、舞い上げ気流防止手段によって、空気の流れが上方に変向されるため、細塵室へ空気が流れ込みにくい構成となっており、圧損を低減させ、機器本体の吸込み性能を向上させることができる。
【００１６】
第２の発明は、特に、第１の発明において、機器本体内に第１の塵埃分離手段により分離された比較的大きいゴミを溜める集塵室を有し、前記第１の塵埃分離手段は、前記集塵室に配設されたフィルタであることにより、第１の塵埃分離手段が集塵室を兼ねており、機器を小型化することができる。
【００１７】
第３の発明は、特に、第１または第２の発明において、舞い上げ気流防止手段は、第２の塵埃分離手段の下端よりも高い位置まで設けられたことにより、舞い上げ気流防止手段の下流で広がった空気の流れも、第２の塵埃分離手段を通るようにできるため、細塵室に空気の流れが流入することを防止することで、細塵室に溜まった細かいゴミが舞い上がり、第２の塵埃分離手段に細かいゴミが付着することを低減させることができる。
【００１８】
第４の発明は、特に、第１または第２の発明において、舞い上げ気流防止手段は、第２の塵埃分離手段の下端と同じ高さまたは第２の塵埃分離手段の下端よりも低い位置まで設けられたことにより、舞い上げ気流防止手段により阻害される空気の流れを低減させることで、圧損を低減させ、機器本体の吸込み性能を向上させることができる。
【００１９】
第５の発明は、特に、第１〜第４のいずれか１つの発明において、舞い上げ気流防止手段は、第１の塵埃分離手段と第２の塵埃分離手段との間の流路の方向に対して、第２の塵埃分離手段との間に隙間がない位置に設けられたことにより、舞い上げ気流防止手段を低くしても、舞い上げ気流防止手段の下流で広がった空気を第２の塵埃分離手段を通過させることができるため、舞い上がりを防止できるとともに、圧損を低減することができる。
【００２０】
第６の発明は、特に、第１〜第５のいずれか１つの発明において、舞い上げ気流防止手段は、第１の塵埃分離手段の上端と同じ高さまたは第１の塵埃分離手段の上端よりも高い位置まで設けられたことにより、第１の塵埃分離手段を通過した空気を効果的に上方すなわち細塵室と反対方向に押し上げることができるため、機器を小型化しても細塵室へ空気が流れ込むことを防ぐことができる。
【００２１】
第７の発明は、特に、第１〜第５のいずれか１つの発明において、舞い上げ気流防止手段は、第１の塵埃分離手段の上端よりも低い位置まで設けられたことにより、第１の塵埃分離手段と第２の塵埃分離手段との間の空気の流れが舞い上げ気流防止手段によって阻害されるのを低減し、圧損を低減することができる。
【００２２】
第８の発明は、特に、第１〜第７のいずれか１つの発明において、舞い上げ気流防止手段は、切り欠き部を有することにより、圧損を減らすとともに、細かいゴミの舞い上がりを防止することができる。すなわち、第２の塵埃分離手段に付着する細かいゴミは完全に一様に分布しているわけではなく、機器本体内の流路構成などによって、偏りが生じるが、例えば、細かいゴミの付着量が少ない部分近傍の舞い上げ気流防止手段に切り欠きを設けることで、圧損を減らし、細かいゴミの舞い上がりを防止することができる。
【００２３】
第９の発明は、特に、第８の発明において、切り欠き部は、舞い上げ気流防止手段付近の空気圧力が低くなる部分に設けられたことにより、第２の塵埃分離手段への空気の流れを一様にすることで、圧損を減らすとともに、細かいゴミの付着の偏りを減らすことができる。
【００２４】
第１０の発明は、特に、第８の発明において、切り欠き部は、舞い上げ気流防止手段付近の空気圧力が高くなる部分に設けられたことにより、圧損を減らすことができる。
【００２５】
以下、本発明の実施の形態について、図面を参照しながら説明する。なお、本実施の形態によって本発明が限定されるものではない。
【００２６】
（実施の形態１）
図１〜図５は、本発明の実施の形態１における集塵機器として電気掃除機を例示したものである。
【００２７】
図１において、機器本体２１には、空気とともにゴミを吸込むノズル２２と、機器本体２１とノズル２２を繋ぐホース２３が接続され、機器本体２１内部には、空気とゴミを分離してゴミを溜めておくダストボックス２４が、機器本体２１と分離可能な構成で設けられている。また、機器本体２１内のダストボックス２４下流には、送風機（ファンモータ）２５が設けられている。
【００２８】
次に、図２によりダストボックス２４内の構成について説明する。
【００２９】
ダストボックス２４内には、ノズル２２によって吸込まれたゴミや空気をダストボックス２４内に導入する流入口３１と、網目状のフィルタ３２が備えられ、このフィルタ３２のろ過作用によって比較的大きいゴミと空気とを分離する第１の塵埃分離手段３３と、第１の塵埃分離手段３３を通過した細かいゴミと空気とを、同じくろ過作用によって分離する、プリーツフィルタなどで構成された第２の塵埃分離手段３４を有している。なお、第１の塵埃分離手段３３は、比較的大きいゴミを溜めておく集塵室の機能を兼ねている。本実施の形態では、第１の塵埃分離手段３３および第２の塵埃分離手段３４は、ろ過作用によってゴミと空気とを分離する構成としているが、例えば、遠心力作用によって分離するサイクロン方式や、ゴミと空気の慣性力の違いを利用する慣性分離方式など他の分離手段を用いても良い。
【００３０】
また、図３に示すように、ダストボックス本体部３５と第２の塵埃分離手段３４は分離することが可能となっている。第２の塵埃分離手段３４をダストボックス本体部３５から分離することにより、ダストボックス本体３５内部や第２の塵埃分離手段３４をお手入れすることが可能となっている。
【００３１】
ダストボックス本体部３５には、図２、図３に示すように、第２の塵埃分離手段３４をダストボックス本体部３５に取付けた際に、第２の塵埃分離手段３４の下方に位置するよう細塵室３６が設けられており、集塵機器を使用中に第２の塵埃分離手段３４に付着した細かいゴミが、集塵機器使用後に重力あるいは第２の塵埃分離手段３４をたたくなどして付着した細かいゴミを落とす除塵機構（図示せず）によって落とされたものを溜めておく構成となっている。
【００３２】
さらに、細塵室３６の上方には、細塵室３６への空気の流れを阻害する絞り部３７が、絞り部３７の上に乗ったゴミが細塵室３６へ滑り落ちるような傾斜をつけて設けられている。ここで、絞り部３７を、第２の塵埃分離手段３４でなく、ダストボックス本体部３５側に設けることで、絞り部３７の長さを短くできるとともに、第２の塵埃分離手段３４をダストボックス本体部３５から取り外した際に、落下衝撃などで折れてしまう危険性を減らすことができる。また、ダストボックス本体部３５に設ける場合は、本実施の形態のように、後方から前方に向けて下向きに傾斜する構成に限らず、図４（ａ）のように、逆に前方から後方に向けて下向きに傾斜させたり、図４（ｂ）のように前後から傾斜部を設けたり、図４（ｃ）のように前後からの傾斜部を入れ子形状にしたりするなど、様々な形態を選択することができる。これらの場合でも、絞り部３７の上に乗ったゴミが細塵室３６へ滑り落ちるような傾斜をつけること、細塵室３６へゴミが入り込む隙間を空けておくことを満たせば同様の効果を得ることができる。
【００３３】
また、細塵室３６は図３に示すように仕切り板３８によって複数の部屋に分かれている。同様に、第２の塵埃分離手段３４下部にも図３に示すように、仕切りリブ３９が設けられ、第２の塵埃分離手段３４をダストボックス本体部３５に取付けた際に、仕切り板３８と仕切りリブ３９が同じ位置に合わさり、それぞれの部屋をまたがった風の流れ（矢印Ｇ１）が生じにくい構成となっている。
【００３４】
そして、第１の塵埃分離手段３３と第２の塵埃分離手段３４との間の流路の一部を塞ぐ位置でかつ細塵室３６の上流に、舞い上げ気流防止手段４０が細塵室３６の壁面を延長する形で設けられている。舞い上げ気流防止手段４０は板状のものを示しているが、その形状や部材構成は図示したものに限られるものではない。
【００３５】
以上のように構成された集塵機器について、以下その動作、作用を説明する。
【００３６】
使用者がスイッチ（図示せず）をＯＮすることにより、送風機２５が動作を開始し、機器本体２１内を負圧にすることで、ノズル２２からゴミと空気を吸込み始める。ノズル２２から吸込まれたゴミと空気は、ホース２３を通り、流入口３１からダストボックス２４内に入っていく。
【００３７】
ダストボックス２４内に入ったゴミと空気は、まず、第１の塵埃分離手段３３によって比較的大きいゴミと空気とに分離される。これは、比較的大きいゴミは、第１の塵埃分離手段３３に備えられた網目状のフィルタ３２を通過できないというろ過作用によるものである。
【００３８】
第１の塵埃分離手段３３によって分離された比較的大きいゴミは、そのまま第１の塵埃分離手段３３内に溜めておく構成となっている。このように、比較的大きいゴミを溜めておく集塵室の機能を第１の塵埃分離手段３３が兼ねることにより、機器の小型化を測ることができるとともに、第１の塵埃分離手段３３から集塵室へのゴミの移送手段が不要となるため、構成を単純化することができる。
【００３９】
ここで、第１の塵埃分離手段３３の下流側、すなわち第２の塵埃分離手段３４側の壁面を舞い上げ気流防止手段４０として用いた場合、第１の塵埃分離手段３３の集塵室側面や上流側の面にフィルタ３２を設けると、第１の塵埃分離手段３３の集塵室横を通って細塵室３６に風が流れ込んでしまい、細かいゴミが舞い上がって第２の塵埃分離手段３４に付着してしまうため、フィルタ３２は、第１の塵埃分離手段３３の集塵室上方面にのみしか設けることができず、圧損が高くなり、集塵機器の吸込み力が弱くなってしまう。また、集塵室３３内のゴミが使用時に舞い上がってフィルタ３２に付着するため、フィルタ３２が上方面のみに設けられている場合、すぐにフィルタ３２が塞がってしまい、こまめな手入れを必要としてしまう。
【００４０】
しかし、本実施の形態のように、舞い上げ気流防止手段４０によって、細塵室３６内に溜まった細かいゴミが第２の塵埃分離手段３４に付着することを防ぐ構成とする場合、フィルタ３２を第１の塵埃分離手段３３の上方のみに設ける構成とする必要が無く、フィルタ３２を第１の塵埃分離手段３３の上流側面、下流側面、側面にも設ける構成としても、舞い上げ気流防止手段４０によって上方に気流が変向されるため、細塵室３６に風が流れ込みにくいため、細かいゴミの舞い上がり防止効果を得ることができる。そのため、フィルタ３２の総面積を広く取ることが可能であるため、圧損を低減できる。さらに、第１の塵埃分離手段３３が集塵室を兼ねる構成としても、フィルタ３２の総面積が大きいため、集塵室にたまったゴミが舞い上がってフィルタ３２の一部を塞いでしまっても、塞がってない部分を風が流れることができるため、圧損が大幅に増えて集塵機器の吸込み力が急激に低下することを回避することができる。
【００４１】
そして、第１の塵埃分離手段３３を通過した細かいゴミと空気は、図２の矢印Ｈのように舞い上げ気流防止手段４０によって上方、すなわち細塵室３６と反対方向の流れに変向される。また、第１の塵埃分離手段３３上部に設けられたフィルタ３２を通過した細かいゴミと空気は、図２の矢印Ｉのように、矢印Ｈの流れによって、上方に押し上げられる。このようにして、細塵室３６から空気の流れを効果的に遠ざけることによって、細塵室３６を空気の流れから遠ざけるために下方に大きく距離を開けた位置に設ける必要が無いため、機器の小型化を実現することができる。
【００４２】
舞い上げ気流防止手段４０は、第１の塵埃分離手段３３の上方面以外に設けられたフィルタ３２の上端よりも距離ｊだけ高い位置まで設けられている。このことにより、第１の塵埃分離手段３３における下流側面のフィルタ３２を通った風が舞い上げ気流防止手段４０に当たらずに下方、すなわち細塵室３６方向へ流れ込むのを防ぐことができる。なお、細塵室３６が空気の流れと十分に離れた位置に設けられている場合は、舞い上げ気流防止手段４０をフィルタ３２の上端と同じ高さになるよう設けても良い。
【００４３】
また、逆に、舞い上げ気流防止手段４０を、図５のように、第１の塵埃分離手段３３の上方面以外に設けられたフィルタ３２の上端よりも距離ｋだけ低い位置まで設ける構成としても良い。この場合でも、矢印Ｌで示すようにフィルタ３２の上の方を通った風が、矢印Ｍで示す、舞い上げ気流防止手段４０によって上方へ変向した風によって押し上げられるため、図２の場合よりは効果は低下するものの、細塵室３６が空気の流れから十分に離れておれば、細塵室３６に溜まった細かいゴミの舞い上がりを防止することが可能である。さらに、図５のように舞い上げ気流防止手段４０をフィルタ３２の上端よりも低い高さになるよう設けた場合には、舞い上げ気流防止手段４０に風が当たることによる圧損を低減させることや、舞い上げ気流防止手段４０上部の空間を確保することにより圧損を低減させることなどの効果を得ることができる。
【００４４】
そして、第１の塵埃分離手段３３では分離し切れなかった細かいゴミを含んだ空気は、プリーツフィルタで構成された第２の塵埃分離手段３４によって、細かいゴミと空気とに分離される。これは、第１の塵埃分離手段３３と同様に、プリーツフィルタに細かいゴミが引っかかり、空気のみが通過するというろ過作用によるものである。そして、空気のみが送風機２５に吸込まれるという構成になっている。
【００４５】
ここで、図２に示すように、舞い上げ気流防止手段４０を、第２の塵埃分離手段３４の下端よりも距離ｎだけ高い位置まで設けることにより、風の流れが矢印Ｏのように、舞い上げ気流防止手段４０を超えて下方向に広がっても、第２の塵埃分離手段３４の下空間に当たることなく、第２の塵埃分離手段３４であるプリーツフィルタ３４を風が通過するため、細塵室３６への風の流入を防ぐことができる。
【００４６】
また、図２に示すように、舞い上げ気流防止手段４０を、第２の塵埃分離手段３４とほとんど隙間が空かない位置に設けることにより、矢印Ｏで示す風の流れの下方向における移動距離を隙間が空いている場合と比較して短くすることができる。よって、細塵室３６に溜まった細かいゴミの舞い上がりによる第２の塵埃分離手段３４への細かいゴミの付着を防止しながら、舞い上げ気流防止手段４０に風が当たることによる圧損を低減させることや、舞い上げ気流防止手段４０上部の空間を確保することにより圧損を低減させることなどの効果を得ることができる。
【００４７】
なお、圧損をできるだけ低減させることを目的とした場合は、図５のように、舞い上げ気流防止手段４０を第２の塵埃分離手段３４よりも距離ｐだけ低い高さ、または第２の塵埃分離手段３４と同じ高さまで設ける構成としても良い。この場合でも、舞い上げ気流防止手段４０により、空気の流れが上方向に押し上げられているため、図５の矢印Ｌで示すように、第２の塵埃分離手段３４の下部壁面にぶつかる気流が少ないこと、さらにぶつかった気流のほとんどが矢印Ｑのように、第２の塵埃分離手段３４へ吸込まれていくため、図２のように、舞い上げ気流防止手段４０を第２の塵埃分離手段３４の下端よりも高い位置まで構成した場合ほどではないが、舞い上がり低減効果を得つつ、圧損を低減することができる。なお、本実施の形態のように、細塵室３６の上部に絞り部３７を設ける構成とした場合、図５のように舞い上げ気流防止手段４０を第２の塵埃分離手段３４の下端よりも低い位置までしか設けない場合でも、細塵室３６に気流が流れ込みにくくなるため、細塵室３６に溜まった細かいゴミの舞い上がりによる第２の塵埃分離手段３４への細かいゴミの付着を防止することが容易になる。
【００４８】
使用者がスイッチ（図示せず）をＯＦＦすることにより、送風機２５が動作を停止し、ゴミの吸い込みを停止する。そして、第２の塵埃分離手段３４に付着した細かいゴミは、重力、あるいは除塵機構（図示せず）によって、第２の塵埃分離手段３４の下方に設けられた細塵室３６に落ち、細塵室３６に溜められていく。細塵室３６の上部には、絞り部３７が設けられているが、絞り部３７は傾斜しているため、絞り部３７の上に落ちたゴミは、絞り部３７の傾斜を滑り落ちて、細塵室３６内に入る構成となっている。
【００４９】
そして、再び使用者がスイッチ（図示せず）をＯＮすると、送風機２５が動作することにより、再びダストボックス２４内に気流が発生する。この気流が細塵室３６に流れ込むと、細塵室３６内に溜まった細かいゴミが舞い上げられ、第２の塵埃分離手段３４に付着してしまうため、第２の塵埃分離手段３４が目詰まりを起こしてしまい、圧損が増加することによって、集塵機器の吸込み力が低下してしまう。しかし、本実施の形態では、舞い上げ気流防止手段４０によって、細塵室３６への気流の流れ込みを防ぐことによって、細塵室３６内に溜まったゴミの舞い上がりを防ぐ構成としているため、集塵機器の吸込み力低下が起こりにくい。
【００５０】
また、本実施の形態では、舞い上げ気流防止手段４０以外にも、細塵室３６の細かいゴミが舞い上がり、第２の塵埃分離手段３４に付着することを防止する細塵舞い上がり防止対策が設けられている。
【００５１】
一つは、前述した絞り部３７であり、細塵室３６への隙間をゴミが入る程度まで狭くすることで、気流が細塵室３６へ流れ込みにくくし、細塵室３６内の細かいゴミの舞い上がりを防ぐものである。
【００５２】
さらに、ダストボックス２４内の気圧は場所によって異なっているため、その気圧差によって、図３（ａ）の矢印Ｇ１、Ｇ２のように、機器本体２１から見て横方向の気流の流れも発生する。この横方向の気流の流れも細塵室３６内の細かいゴミを舞い上がらせる原因となるため、これらを防ぐ対策が必要となる。
【００５３】
まず、細塵室３６の上を横方向に流れる気流Ｇ１に対しては、前述したように第２の塵埃分離手段３４をダストボックス本体部３５に取付けた際に、細塵室３６に設けられた仕切り板３８と、第２の塵埃分離手段３４の下部に設けられた仕切りリブ３９が同じ位置に合わさる構成とすることで、それぞれの部屋をまたがった風Ｇ１が生じないようにしている。
【００５４】
次に、細塵室３６の下、すなわち仕切り板３８の下部の隙間を流れる気流Ｇ２に対しては、図２に示すように、細塵室３６の底を構成する廃棄蓋４１に、ゴム製のシート４２を備えさせ、仕切り板３８の下部に隙間ができないようにシールすることで、それぞれの部屋をまたがった風Ｇ２が生じないようにしている。
【００５５】
なお、仕切り板３８によって区分けされた細塵室３６それぞれの部屋の幅が広すぎると、区分けされたそれぞれの部屋の中で気圧の差が生じてしまい、横方向の風による細かいゴミの舞い上がりという問題が生じてしまうため、仕切り板３８によって区分けされる細塵室３６のそれぞれの部屋幅は４０ｍｍ以下、より好ましくは２０ｍｍ以下とすると良い。
【００５６】
そして、集塵室３３や細塵室３６にゴミが溜まれば、使用者がダストボックス２４を機器本体２１から取り出して、ダストボックス２４底部を構成する廃棄扉４１を開くことによって、第１の塵埃分離手段３３の集塵室と細塵室３６の底部が開放され、それぞれの室にたまったゴミを廃棄する構成となっている。
【００５７】
ここで、第１の塵埃分離手段３３と、舞い上げ気流防止手段４０と、廃棄扉４１とで囲まれた空間を、第２の細塵室４３として利用し、第２の塵埃分離手段３４に付着していた細かいゴミが除塵手段によって勢い良く落とされた場合、この第２の細塵室４３に落ちる構成とし、廃棄扉４１を開くことによって、集塵室３３、細塵室３６に溜まったゴミとともに廃棄される構成としても良い。このような構成は、特に、圧損低減対策として、舞い上げ気流防止手段４０を第１の塵埃分離手段３３または第２の塵埃分離手段３４よりも低い高さとした場合や、舞い上げ気流防止手段４０を第２の塵埃分離手段３４とほとんど距離が空かない位置に設けた場合や、舞い上げ気流防止手段４０を第２の塵埃分離手段３４に向けて上部が傾いた形状にした場合など、舞い上げ気流防止手段４０を飛び越えて細かいゴミが第１の塵埃分離手段３３と舞い上げ気流防止手段４０との間に入り込みやすい構成のときに、簡単な構成で入り込んだ細かいゴミを廃棄できるため効果的である。
【００５８】
以上のように、本実施の形態では、第１の塵埃分離手段３３と第２の塵埃分離手段３４との間の流路の一部を塞ぐ位置に、舞い上げ気流防止手段４０を設けたことにより、細塵室３６への気流の流れ込みを防ぐことによって、細塵室３６内に溜まった細かいゴミがダストボックス２４内を流れる気流によって舞い上げられ、第２の塵埃分離手段３４に付着して、第２の塵埃分離手段３４が目詰まりを起こしてしまい、圧損が増加することによって、集塵機器の吸込み力が低下するという問題を防ぐことができる。
【００５９】
（実施の形態２）
図６、図７は、本発明の実施の形態２における集塵機器を示している。
【００６０】
本実施の形態が、実施の形態１と異なる点は、舞い上げ気流防止手段５２に切り欠き部５３を有している点、および舞い上げ気流防止手段５２が、ダストボックス５１から取り外し自在に構成されている点である。その他は図１〜図３に示した実施の形態１と同様であり、同一番号を付して詳細な説明を省略する。
【００６１】
図６に示すように、機器本体５０への収納性を向上するために、送風機２５を機器本体５０の中心に置かずに片側に片寄らせて構成した場合、ダストボックス５１内の空気圧力（負圧）は、送風機２５に近い側（本実施の形態の図６では右上側）が高くなる。そのため、第２の塵埃分離手段３４を通る風の流れは一様にならず、圧損となるだけでなく、第２の塵埃分離手段３４に付着する細かいゴミの量も一様ではなくなり、付着量の多い所が早く目詰まりを起こしてしまう。
【００６２】
そこで、本実施の形態では、空気圧力の低い左側（送風機２５と反対側）に切り欠き部５３を設けることで、空気圧力の低い位置すなわち流れる空気の流量が少ない位置に空気が流れ込みやすくし、第２の塵埃分離手段３４を通る風の流れを略一様になるようにしている。このことにより、圧損を低減させるとともに、第２の塵埃分離手段３４に付着する細かいゴミの量も略一様とすることで、第２の塵埃分離手段３４の目詰まりが起こりにくい構成としている。
【００６３】
なお、舞い上げ気流防止手段５２による圧損が問題となる場合には、逆に、空気圧力の高い、すなわち流れる空気の流量が多い位置に切り欠き部５３を設け、舞い上げ気流防止手段５２による圧損を低減させる構成としても良い。この場合、早い段階で第２の塵埃分離手段３４の目詰まりが起こることで、集塵機器の吸込み力低下が生じはじめるが、第２の塵埃分離手段３４への細かなゴミの付着量の偏りが大きくなるため、目詰まりしていない部分が長時間残るため、大幅な吸込み力の低下は起こしにくくすることができる。また、第２の塵埃分離手段３４に付着する細かなゴミを落とす除塵手段（図示せず）が、この細かなゴミの付着量が多い部分を、重点的に落とすという構成や、この細かなゴミの付着量が多い部分のプリーツフィルタの間隔を広くして、重力で落ちやすくする構成とし、目詰まりを起こりにくくしてもよい。
【００６４】
なお、本実施の形態では、送風機２５の位置の片寄りによる空気圧力の不均一に対して、舞い上げ気流防止手段５２の一部を切り欠く構成としたが、第１の塵埃分離手段３３などの形状による空気圧力の不均一に対応して切り欠きを複数箇所設けたり、切り欠きの高さを不均一にしたりしても良い。また、本実施の形態では、切り欠き部５３を矩形としたが、切り欠きの形状は、矩形のみに限定するものではない。
【００６５】
また、図７に示すように、スライド溝５４を設けることで、舞い上げ気流防止手段５２は、スライドして取り外し自在の構成としている。このことにより、舞い上げ気流防止手段５２を取り外しての、第１の塵埃分離手段３３などのお手入れを容易とするだけでなく、第２の塵埃分離手段３４への細かなゴミの付着が気になる場合は、空気圧力が低い位置に切り欠き部５３を設けた、舞い上げ気流防止手段５２を、舞い上げ気流防止手段５２による圧損が気になる場合は、空気圧力が高い位置に切り欠き部５３を設け、舞い上げ気流防止手段５２を取付けるなど、使用者の好みで選択することが可能となる。
【産業上の利用可能性】
【００６６】
以上のように、本発明にかかる集塵機器は、機器の小型化をはかるとともに、細塵室の細かいゴミによる塵埃分離手段の目詰まり低下を防止し吸込み性能を向上させることができるので、電気掃除機はもちろんのこと、空気清浄機や、エアコンなどの用途にも適用できる。
【図面の簡単な説明】
【００６７】
【図１】本発明の実施の形態１における集塵機器の構成を示す断面図
【図２】同集塵機器におけるダストボックスの断面図
【図３】同集塵機器におけるダストボックスの分解斜視図
【図４】同集塵機器における絞り部の構成例を示す断面図
【図５】同集塵機器におけるダストボックスの他の例を示す断面図
【図６】本発明の実施の形態２における集塵機器の平断面図
【図７】同集塵機器におけるダストボックス本体部の斜視図
【図８】従来の集塵機器におけるダストボックスの断面図
【図９】他の従来における集塵機器のダストボックスの断面図
【符号の説明】
【００６８】
２１  機器本体
２５  送風機
３３  第１の塵埃分離手段
３４  第２の塵埃分離手段
３６  細塵室
４０、５２  舞い上げ気流防止手段
５３  切り欠き部
【図１】
2008104559.tif 000003
【図２】
2008104559.tif 000004
【図３】
2008104559.tif 000005
【図４】
2008104559.tif 000006
【図５】
2008104559.tif 000007
【図６】
2008104559.tif 000008
【図７】
2008104559.tif 000009
【図８】
2008104559.tif 000010
【図９】
2008104559.tif 000011